(57)【要約】【課題】  平屋建物においても、蔵型収納室と呼べるような大型収納区画を備えることができ、なおかつ、住人どうしがコミュニケーションの機会を容易に得ることが出来る建物を提供することを目的とする。【解決手段】  玄関のある第１層１０の床上に、この床から半階上がった位置に第２層２０が設けられ、この第２層２０を通って、さらにこの第２層２０よりも半階上がった位置であって、玄関上に位置する第３層３０に居室３２が設けられるとともに、第２層２０の床下に大型収納区画を構成する、蔵型収納室Ｋ１、Ｋ２が設けられ、かつ、この蔵型収納室Ｋ１、Ｋ２の出入口１６が第１層上のリビング１１に面して設けられた蔵型収納付き建物１であって、第１層上のリビング１１には、第２層２０に上がる階段２１が設けられていることを特徴とする蔵型収納付き建物１。【選択図】図３
2005097932.tif 000002
【特許請求の範囲】
【請求項１】
玄関のある第１層の床上に、この床から半階上がった位置に第２層が設けられ、この第２層を通って、さらにこの第２層よりも半階上がった位置であって、玄関上に位置する第３層に居室が設けられるとともに、前記第２層の床下に大型収納区画を構成する、蔵型収納室が設けられ、かつ、この蔵型収納室の出入口が前記第１層上のリビングに面して設けられた蔵型収納付き建物であって、前記第１層上のリビングには、第２層に上がる階段が設けられていることを特徴とする蔵型収納付き建物。
【請求項２】
玄関のある第１層の床上に、第１層の居室となるべき位置であって、第１層のリビングに隣り合う位置に、第１層の床より半階高い第２層が設けられ、この第２層上に居室が、床下に大型収納区画を構成する蔵型収納室が設けられるとともに、この第２層には第１層から第２層に至る階段に連なり、かつ第１層玄関上に位置する第３層への階段に連なる廊下が設けられてなり、しかも前記蔵型収納室の出入口が第１層リビングに面して設けられていることを特徴とする蔵型収納付き建物。
【請求項３】
請求項２に記載の蔵型収納付き建物において、蔵型収納室の第１層リビングに面する出入口に代えて、第１層ホールに面する出入口を設けたことを特徴とする蔵型収納付き建物。
【請求項４】
請求項２に記載の蔵型収納付き建物において、蔵型収納室の第１層リビングに面する出入口に代えて、建物外部に開口する出入口を設けたことを特徴とする蔵型収納付き建物。
【請求項５】
切妻屋根を備えた建物の第１層に、妻面に開口する玄関と、出入口を介して玄関に通じるリビングとが、切妻屋根の棟方向に沿って配置され、さらにリビングに隣り合う位置には、第１層の床よりも半階上がった第２層が設けられるとともに、この第２層の床下には大型収納区画を構成する蔵型収納室が設けられ、かつ、この蔵型収納室の出入口が前記リビングに面して設けられた蔵型収納付き建物であって、前記第１層のリビングには、第２層に上がる階段が設けられるとともに、前記第２層には、第２層を通って玄関上の第３層に通じる階段が設けられていることを特徴とする蔵型収納付き建物。
【請求項６】
請求項１ないし５のいずれかに記載の蔵型収納付き建物であって、前記リビングは、第２層天井まで通じる吹き抜けになっていることを特徴とする蔵型収納付き建物。
【発明の詳細な説明】
【技術分野】
【０００１】
本発明は、平屋建物の床上に、この床よりも半階高いスキップ床を設けて、このスキップ床の床下空間を大型収納区画とした蔵型収納付き建物に係り、特に住人どうしがコミュニケーションをとる機会を得るのに好適な蔵型収納付き建物に関する。
【背景技術】
【０００２】
近年においてはその家族構成や生活パターンの変化とともに、住戸内にも家具その他の多くの物品が揃えられ、また、その物品の使用形態も季節等に応じて多様化していることなどから、必要に応じてこれらの物品を建物内に収納しておくための大きな収納空間を必要とするようになってきている。この点は、土地の高騰に伴う敷地の有効利用および建物内容積の有効利用の観点からも、建物内に可能な限り大きくしかも効率的な収納空間を設けておくことが望まれている。
【０００３】
このような点を考慮した建物としては、本出願人は、特開平０６−３２３００９号「蔵型収納付き建物」などを提案した。
【０００４】
ところで、住宅の中には、いわゆる１階建ての平屋建物と、２階建て以上の住宅があるが、平屋建物は、その住まい心地や機能性などの面で多くの利点がある反面、実際には十分な土地、それに見合う予算が必要になってくるなど、様々な問題点がある。また、２階建て以上の住宅においては、１階にリビング、キッチン、水廻り等の共有スペースを配置するとともに、２階に寝室、子供部屋等の各住人専用の専用スペースを配置する場合が多い。このような住宅においては、１階と２階との間を行き来するための階段は、玄関ホールに配置したり、あるいは、玄関ホールからリビング、キッチン、水廻り等の共有スペースに至る廊下の途中に配置したりする場合が殆どである。
【０００５】
そして、住人が玄関から入って、自分の専用スペースに行く場合、共有スペースであるリビングを通らないで階段を上がって行くことができ、また、逆に自分の専用スペースから玄関に行く場合、階段を下ってリビングを通らないで行くことができるため、リビングに居る他の住人と顔を合わせずに自分の専用スペースから玄関を介して出入りすることができる。ところが、上記のような住宅では、例えば、リビングに居る親が、子供の帰宅を待って話をしたい場合などにおいて、子供の帰宅に気がつかずに、コミュニケーションの機会を逸してしまうことがあるなど、住人どうしのコミュニケーション不足が生じ易かった。
【０００６】
そこで、本出願人は、特開平１１−０４４１０７号「住宅」などを提案し、住人が玄関から上階または下階に行く場合、また、逆に上階または下階から玄関に行く場合に、玄関を、建物内において、リビング側にのみ行き来可能に構成することにより、例えば、リビングにいる親が、子どもの帰宅を待って話をしたい場合などにおいて、子どもとのコミュニケーションの機会を容易に得ることができるような住宅を提供した。
【０００７】
また、近年は二階建て以上の建物に住んでも、年齢を重ねてからの階段の上り下りや、子どものいない夫婦にとっては無駄な部屋数の多さなど、二階建て以上の建物に住む利点や機能が必要でない場合があり、その中でやはり、平屋建物が求められることは少なくない。しかしながら平屋建物においては、二階建て以上の建物に比べて、延べ床面積など広さの問題や、部屋数の少なさによって、収納スペースが少ないことは否めない。
【特許文献１】特開平０６−３２３００９号公報
【特許文献２】特開平１１−０４４１０７号公報
【発明の開示】
【発明が解決しようとする課題】
【０００８】
上記、従来の技術においては、大型収納区画、いわゆる蔵型収納室を設置した建物は、上階と下階の間に蔵型収納室を配置し、例えば、蔵型収納室への出入口は上階と下階を連絡する階段の踊り場に面して設けるものであるため、平屋建物のような限られた空間の中に、蔵型収納室のような、大型収納区画を設けるのは困難であった。
【０００９】
また、本出願人が提案した、特開平１１−０４４１０７号「住宅」の技術は、二階建て以上の建物には容易に適用可能であるが、平屋建物においては、居室の配置の仕方や、建物の構造、立地的な問題などによって、この技術を応用するのが難しかった。
【００１０】
そこで本発明は、平屋建物においても、蔵型収納室と呼べるような大型収納区画を備えることができ、なおかつ、住人どうしがコミュニケーションの機会を容易に得ることが出来る建物を提供することを目的としている。
【課題を解決するための手段】
【００１１】
上記目的を達成する為に、請求項１に記載の発明は、例えば図１〜図４に示すように、玄関のある第１層１０の床上に、この床から半階上がった位置に第２層２０を設け、この第２層２０を通って、さらにこの第２層２０よりも半階上がった位置であって、玄関上に位置する第３層３０に居室３２を設けるとともに、第２層２０の床下に大型収納区画を構成する、蔵型収納室Ｋ１、Ｋ２を設け、かつ、この蔵型収納室Ｋ１、Ｋ２の出入口１６が第１層上のリビング１１に面して設けた蔵型収納付き建物１であって、第１層上のリビング１１には、第２層２０に上がる階段２１を設けたことを特徴とする。
【００１２】
ここで、前記スキップ床の高さを第１層１０から半階高くしたのは、平均的な身長の大人が例えば腰や頭を少し低くした状態、あるいは椅子に座った状態で蔵型収納室内を自由に移動でき、かつ、物品の搬入や搬出に十分な高さだからである。また階段の上り下りも負担の少ない高さとなっている。
【００１３】
請求項２に記載の発明は、例えば図１〜図４に示すように、玄関１２のある第１層１０の床上に、第１層１０の居室となるべき位置であって、第１層１０のリビング１１に隣り合う位置に、第１層１０の床より半階高い第２層２０が設けられている。この第２層上に居室２３、２４が、床下に大型収納区画を構成する蔵型収納室Ｋ１、Ｋ２が設けられるとともに、この第２層２０には、第１層１０から第２層２０に至る階段２１に連なり、かつ第１層１０玄関上に位置する第３層３０への階段３１に連なる廊下２２が設けられてなり、しかも前記蔵型収納室Ｋ１、Ｋ２の出入口１６が第１層１０リビング１１に面して設けられていることを特徴とする。
【００１４】
請求項３に記載の発明は、蔵型収納室Ｋ１、Ｋ２の第１層１０のリビング１１に面する出入口１６に代えて、第１層ホールに面する出入口を設けたことを特徴とする。
【００１５】
請求項４に記載の発明は、蔵型収納室Ｋ１、Ｋ２の第１層１０のリビング１１に面する出入口１６に代えて、建物外部に開口する出入口を設けたことを特徴とする。
【００１６】
請求項５に記載の発明は、例えば図１〜図６に示すように、切妻屋根を備えた建物の第１層１０に、妻面に開口する玄関１２と、出入口を介して玄関に通じるリビング１１とが、切妻屋根の棟方向に沿って配置され、さらにリビング１１に隣り合う位置には、第１層１０の床よりも半階上がった第２層２０が設けられるとともに、この第２層２０の床下には大型収納区画を構成する蔵型収納室Ｋ１、Ｋ２が設けられ、かつ、この蔵型収納室Ｋ１、Ｋ２の出入口１６が前記リビング１１に面して設けられた蔵型収納付き建物１であって、前記第１層１０のリビング１１には、第２層２０に上がる階段２１が設けられるとともに、前記第２層２０には、第２層２０を通って玄関上の第３層３０に通じる階段３１が設けられていることを特徴とする。
【００１７】
第２層２０へ至る階段２１は、玄関１２との間を行き来する際には必ずリビング１１を通らなければならない位置に配置する。例えば、玄関１２から第２層２０に向かう場合は、玄関１２から入り、リビング１１を横切って、階段２１を上がって第２層２０に至るような経路となる。また、逆に第２層２０から玄関１２に向かう場合は、第２層２０から階段２１を降り、リビング１１を横切って、玄関１２に至るような経路となる。
【００１８】
上記のように、玄関１２と階段２１の間にリビング１１を介在させることによって、住人が玄関１２から第２層２０または第３層３０に行く場合、また、逆に第２層２０または第３層３０から玄関１２に行く場合に、リビング１１を必ず通過することになるので、リビング１１にいる他の住人と顔を合わすことになり、よって、住人どうしのコミュニケーションの機会を容易に得ることができるので好ましい。
【００１９】
請求項６記載の発明は、請求項１に記載の蔵型収納付き建物において、リビング１１は、第２層２０天井まで通じる吹き抜け１５になっていることを特徴とし、他の居室と比べて天井高の高い部屋となっているので、リビング１１の居住性が格段に高まる。
【００２０】
また、本来ならば天井裏としてデッドスペースになるはずの玄関１２、キッチン１３、水廻り１４の上部には、第２層２０の床面より、半階高い場所にスキップ床、すなわち、第３層３０の床を設ける。ここで、スキップ床が所定の高さを越えると、建物の高さが高くなりすぎて、北側斜線制限や道路斜線制限の規定に反する場合が生じ易くなる。
【００２１】
本発明の建物の屋根４０においては、建物自体の構造が平屋建物の内部にスキップ床を活用して、蔵型収納室Ｋ１、Ｋ２を設け、第１層１０から第２層２０を経て第３層３０までの構造となっているので、北側斜線制限や道路斜線制限の規定に反する場合を考慮して、家の高さが高くなり過ぎないようにしなければならないので、本来ならば天井裏としてデッドスペースとなりがちな小屋裏空間を使って最大限に高さを活用できる、勾配屋根の形状を持つ、切り妻屋根とする。また、第３層を居室ではなく物入れとして活用する場合は、寄せ棟屋根やフラットルーフなどの形状の屋根でも可能である。
【発明の効果】
【００２２】
以上のように、本発明によれば、玄関のある第１層の床上に、この床から半階上がった位置に第２層を設け、この第２層を通って、さらにこの第２層よりも半階上がった位置であって、前記玄関上に位置する第３層に居室を設けるとともに、前記第２層の床下に大型収納区画を構成する、蔵型収納室を設けることができる。また、前記第１層のリビングに階段を配置することによって、例えば住人が玄関から第２層または第３層に行く場合、また、逆に第２層または第３層から玄関に行く場合に、前記リビングを必ず通過することになるので、リビングにいる他の住人と顔を合わすことになる。このように、平屋建物においても、蔵型収納室と呼べるような大型収納区画を備えることができ、なおかつ、住人どうしがコミュニケーションの機会を容易に得ることが出来る建物を提供することができる。
【発明を実施するための最良の形態】
【００２３】
以下、この発明の好適な実施の形態について、添付の図１〜図６を参照して説明する。これらの図は本発明に係る建物を示すものであり、図１は建物の第１層１０の平断面図、図２は建物の第２層２０と第３層３０の平断面図、図３は建物の縦断面図、図４は建物の横断面図、図５は建物の正面図、図６は建物の側面図である。
【００２４】
本発明を実施するための最良の形態に係る建物は、壁や床、屋根といった構成要素を予め工場にてパネル化しておき、施工現場でこれらのパネルを組立てることにより、住宅等の建物を構築するといったパネル工法で構築された平屋建ての建物である。
【００２５】
実施例にかかる建物は、玄関１２のある第１層１０の床上に、この床から半階上がった位置に第２層２０が設けられ、この第２層２０を通って、さらにこの第２層２０よりも半階上がった位置であって、玄関上に位置する第３層３０に居室３２が設けられるとともに、第２層２０の床下に大型収納区画を構成する、蔵型収納室Ｋ１、Ｋ２が設けられる。この蔵型収納室Ｋ１、Ｋ２の出入口１６が第１層上のリビング１１に面して設けられた蔵型収納付き建物１となっている。また第１層上のリビング１１には、第２層２０に上がる階段２１が設けられていることを特徴とする蔵型収納付き建物１である。
【００２６】
この建物の第１層１０の間取りは次のようになっている。すなわち、図１に示すように、第１層１０には、リビング１１とキッチン１３とが図面では左右に隣接して配置されており、キッチン１３の北側に西入りの玄関１２が配置されている。この玄関１２の北側に洗面室や浴室、トイレなどの、水廻り１４が配置されている。また、リビング１１の北側には蔵型収納室Ｋ１、Ｋ２が配置されている。
【００２７】
第２層２０へ至る階段２１は、リビング１１内の北東部に位置し、玄関１２とは、ちょうど東西正反対に配置され、リビング１１を経由しなければ玄関１２に行くことも出来ず、また階段２１に行くことも出来ないように配置されているとともに、すぐに第２層２０へ上がれるようになっている。このように、玄関１２と階段２１の間にリビング１１が配置されていることによって、例えば住人が玄関１２から第２層２０または第３層３０に行く場合、また、逆に第２層２０または第３層３０から玄関１２に行く場合に、リビング１１を必ず通過することになるので、リビング１１にいる他の住人と顔を合わすことになり、よって、住人どうしのコミュニケーションの機会を容易に得ることができる。
【００２８】
また、第１層１０の床面より、半階高い場所にスキップ床、すなわち、第２層２０の床を設けて、本来ならばデッドスペースになるはずの前記第２層２０の床下に蔵型収納室Ｋ１、Ｋ２を配置する。ここで、前記スキップ床の高さを第１層１０から半階高くしたのは、平均的な身長の大人が例えば腰や頭を少し低くした状態、あるいは椅子に座った状態で蔵型収納室内を自由に移動でき、かつ、物品の搬入や搬出に十分な高さだからである。また、物品の搬入や搬出の為、蔵型収納室Ｋ１、Ｋ２の出入口１６はリビング１１に面して設ける。
【００２９】
建物の第２層２０の間取りは次のようになっている。すなわち、図２〜図４に示すように、階段２１を上がってきた場所から西に向かった、建物の中央部分にかけて、廊下２２が配置され、また、廊下２２の北側には居室２３、２４が面して配置されており、この居室２３、２４は、第１層１０の蔵型収納室Ｋ１、Ｋ２の直上に位置する。
【００３０】
建物の第３層３０の間取りは次のようになっている。すなわち、図２〜図４に示すように、階段３１を上がってきた場所からが居室３２となっており、この居室３２は、第１層の玄関１２、キッチン１３、水廻り１４の上部に位置する。
また、第３層の床面は、スキップ床となっていて、第２層２０の床面に対して、半階高くなっている。
【００３１】
また、図２から図６に示すように、居室３２は、建物の屋根４０を切り妻屋根とし、天井裏のデッドスペースやスキップ床を使って設けられているので、外見上は平屋建物と変わらず、また、家の高さが高くなり過ぎないようになっているので、北側斜線制限や道路斜線制限の規定に反する場合にも考慮している。また、この建物の屋根４０を切妻屋根とする場合以外にも、第３層を居室として活用するのではなく、物入れなどに活用する場合は、寄せ棟屋根やフラットルーフの形状の屋根でも対応できる。
【００３２】
なお、蔵型収納室Ｋ１、Ｋ２の出入口１６が、第１層１０リビング１１に面して設けられている場合だけでなく他の場所に設けられていてもその機能を失うものではない。例えば、第１層ホールに面する場所に出入口を設けることも可能であるし、建物外部に開口する出入口を設けることも可能である。
【図面の簡単な説明】
【００３３】
【図１】本発明に係る建物の一例を示すもので、建物の第１層の平断面図である。
【図２】同、建物の第２層と第３層の平断面図である。
【図３】同、建物の縦断面図である。
【図４】同、建物の横断面図である。
【図５】同、建物の正面図である。
【図６】同、建物の側面図である。
【符号の説明】
【００３４】
１  蔵型収納付き建物
１０  第１層
２０  第２層
３０  第３層
４０  屋根
１１  リビング
１２  玄関
１３  キッチン
１４  水廻り
１５  吹き抜け
１６  出入口
２１  階段
２２  廊下
２３、２４  居室
３１  階段
３２  居室
Ｋ１、Ｋ２  蔵型収納室
【図１】
2005097932.tif 000003
【図２】
2005097932.tif 000004
【図３】
2005097932.tif 000005
【図４】
2005097932.tif 000006
【図５】
2005097932.tif 000007
【図６】
2005097932.tif 000008